(57)【特許請求の範囲】
【請求項１】
弦楽器のネック部の指板下側にネック部の長さ方向に沿って縦長に埋設される剛性のある板棒状体であって、前記板棒状体にはヘッド側の所定部分を残してボディ側から切り溝部が形成されていて、該切り溝部によって該板棒状体をヘッド側溝無し部分およびボディ側溝上半部分ならびにボディ側溝下半部分に区分しており、前記ヘッド側溝無し部分および前記ボディ側溝上半部分をネック部と一体に接着するとともに、前記ボディ側溝下半部分については、ネック部と一体に接着することなくそのボディ側端部がネック部に固定保持されていることを特徴とする弦楽器のネック部の補強構造。
【請求項２】
請求項１において、前記板棒状体がボディ側の折り曲げ部を介して右側板棒状部及び左側板棒状部を有する平面視略Ｕ字状に形成されている弦楽器のネック部の補強構造。
【請求項３】
請求項２において、前記右側板棒状部及び左側板棒状部の切り溝部の端部位置が左右変えて形成されている弦楽器のネック部の補強構造。
【請求項４】
請求項１ないし３のいずれか１項において、前記ボディ側下半部分をボディ側に引張する引張手段を有する弦楽器のネック部の補強構造。
【発明の詳細な説明】
【０００１】
【発明の属する技術分野】
この発明は、弦楽器のネック部の補強構造に関する。
【０００２】
【従来の技術】
一般に弦楽器は、ボディ部と、このボディ部に接合されたネック部ならびにその先端のヘッド部を有し、ボディ部に設けられたブリッジと、ヘッド部の糸巻ナットの間に弦を張設する構造となっている。従って、糸巻ナットとブリッジの間で弦は張力を生じ、この張力がネック部を上方に曲げ変形させる原因となる。ネック部が上方に反ってしまうと、正しい音程が出なかったり、各弦のボディ部側の高ポジションが弾きにくくなったりする。また、ネック部の強度が低いと、調音する際にネック部が少しずつ変形するため、正しい音程を得るのに時間が要するという問題がある。
【０００３】
このような問題に対して、トラスロッドと呼ばれる棒状の鉄心をネック部内に埋設する構造がもっとも一般的な対策として採用されている。この構造はネックの反りを防止できるだけでなく、鉄心にある程度の反発力を与えているため、強度としても働いている優れた機構である。
【０００４】
また、ネック部の中央に強度の強いブビンガーという木材を挟み込んだり、あるいは特開２００１−１３９５７号公報に見られるような凸字状にプレスした金属板をネックに補強材として埋設する方法がとられている。
【０００５】
しかるに、近年、特にギターにおいてネック部の細化が市場の要請として高まっており、この細いネック部では上述したような各種の補強材を内部にたやすく埋設することが困難となる。また、弦楽器一般において、簡易なネック部の補強構造が望まれている。
【０００６】
【発明が解決しようとする課題】
この発明は、このような点に鑑みなされたもので、極めて簡易な構造で強度が高く、かつネック部の反りが生じにくい弦楽器のネック部の補強構造を提案するものである。また、この発明は、あわせてネック部の反りを矯正し調整する機能を備えた弦楽器のネック部の補強構造を提案するものである。
【０００７】
【課題を解決するための手段】
すなわち、請求項１の発明は、弦楽器のネック部の指板下側にネック部の長さ方向に沿って縦長に埋設される剛性のある板棒状体であって、前記板棒状体にはヘッド側の所定部分を残してボディ側から切り溝部が形成されていて、該切り溝部によって該板棒状体をヘッド側溝無し部分およびボディ側溝上半部分ならびにボディ側溝下半部分に区分しており、前記ヘッド側溝無し部分および前記ボディ側溝上半部分をネック部と一体に接着するとともに、前記ボディ側溝下半部分については、ネック部と一体に接着することなくそのボディ側端部がネック部に固定保持されていることを特徴とする弦楽器のネック部の補強構造に係る。
【０００８】
また、請求項２の発明は、請求項１において、前記板棒状体がボディ側の折り曲げ部を介して右側板棒状部及び左側板棒状部を有する平面視略Ｕ字状に形成されている弦楽器のネック部の補強構造に係る。
【０００９】
請求項３の発明は、請求項２において、前記右側板棒状部及び左側板棒状部の切り溝部の端部位置が左右変えて形成されている弦楽器のネック部の補強構造に係る。
【００１０】
さらに、請求項４の発明は、請求項１ないし３のいずれか１項において、前記ボディ側下半部分をボディ側に引張する引張手段を有する弦楽器のネック部の補強構造に係る。
【００１１】
【発明の実施の形態】
以下添付の図面に従ってこの発明を詳細に説明する。
図１はこの発明の一実施例を示す電気ギターの指板部分を一部省略した全体斜視図、図２はこの発明に用いられる板棒状体の一例を示す全体斜視図、図３は板棒状体の作用を模式的に表す部分断面図、図４は引張手段を設けた板棒状体の一例を示す全体斜視図、図５は図４に示す引張手段の一部拡大図、図６は図４に示す板棒状体を取り付けた電気ギターのネック部の断面図、図７は板棒状体の他の例を示す全体斜視図、図８はさらに板棒状体の別の例を示す全体斜視図、図９は固定引張手段の一部拡大図、図１０は図７または図８に示す板棒状体を取り付けた電気ギターのネック部の拡大断面図である。
【００１２】
図１に示すように、以下の実施例では、弦楽器の一例として電気ギター１０を例示する。図１の符号１１はボディ部、１２はネック部、１３はヘッド部、１５は前記ネック部１２の上面に貼設された指板、１６はブリッジ、１７は糸巻ナット、１９は弦を表す。説明のため、指板１５及び弦１９は一部を切り欠いて示してある。この発明に係る補強構造は、図示のように、このネック部１２の指板１５下部にネック部１２の長さ方向に沿って縦長に剛性のある板棒状体Ｒを埋設した構造に係る。なお、図１の板棒状体Ｒは後の実施例で説明する板棒状体４０が図示される。
【００１３】
板棒状体Ｒの一例が図２に符号２０として示される。この板棒状体２０は、金属板あるいはカーボン素材等のヤング率の高い剛性のある素材よりなる。図示のように、板棒状体２０は、ヘッド側１３ｓの所定部分を残してボディ側１１ｓから切り溝部２５が形成されていて、該切り溝部２５によって、該板棒状体２０をヘッド側溝無し部分２１及びボディ側溝上半部分２２ならびにボディ側溝下半部分２３の３つの部分に区分している。そして、前記ヘッド側溝無し部分２１及び前記ボディ側溝上半部分２２をネック部１２と一体に接着（図２中の網掛け表示は接着部分を表す）するとともに、前記ボディ側溝下半部分２３については、ネック部１２と一体に接着することなく、そのボディ側端部２３ｅがネック部１２に固定保持されている。図２のボディ側溝下半部分２３に関し符号２６はネジ孔、２７は該ネジ孔２６に取り付けられる固定ネジである。
【００１４】
すなわち、この発明構造にあっては、板棒状体Ｒ（２０）のヘッド側溝無し部分２１及びボディ側溝上半部分２２は、図中網掛け部で示すように、ネック部１２と一体に接着されているが、一方、ボディ側溝下半部分２３については、ネック部１２と一体に接着されることなく、そのボディ側端部２３ｅがネック部１２に固定保持されている。このような構成よりなる板棒状体Ｒ（２０）をネック部１２の指板１５下部に埋設することにより、次のような作用を生ずる。
【００１５】
図３に示したように、まず、ネック部１２と一体に接着されたヘッド側溝無し部分２１及びボディ側溝上半部分２２は、ネック部１２と一体化されているため、当該ネック部１２の強度保持部材として機能する。ここで、前記したようにネック部１２は弦１９の張力によって上方へ反りやすく、かつヘッド側１３ｓにおいてその反りが大きいものであるが、該ネック部１２の上側部分（指板１５の下側部分）とヘッド側１３ｓに、ネック部１２を構成する木材に比し高い剛性のあるヘッド側溝無し部分２１及びボディ側溝上半部分２２の一体化部分が形成されることにより、該ネック部１２の上側部分及びヘッド側１３ｓの強度が高くなり、反りが生じにくくなる。
【００１６】
さらに、ネック部１２の下側部分に位置するボディ側溝下半部分２３については、ネック部１２と一体化されていないため、当該板棒状体２０の材質独自の作用を果たす。すなわち、ネック部１２が弦１９の張力により図３の矢印ａのように上方へ反り変形しようとするときに、ネック部１２と一体に接着されたヘッド側溝無し部分２１及びボディ側溝上半部分２２にネック部１２と一体に上方へ変形しようとする力ａ１，ａ２が働く。そのとき同時に、ボディ側溝下半部分２３においては固定部である固定ネジ２７と反対方向の長さ方向に伸ばす力ｂが生じる。しかしながら、板棒状体２０はネック部１２を構成する木材に比して高い剛性を有するものであるから、実際にはほとんど伸びることはなく、反対に、ヘッド側溝無し部分２１及びボディ側溝上半部分２２に働く上方へ変形しようとする力ａ１，ａ２を阻止する力、つまり上方へ変形しようとする力ａと反対方向の抗力ｃとして働く。
【００１７】
このように、この発明構造における板棒状体Ｒ（２０）は、剛性のある材料という点からの補強と同時に、力学的な抗力という点からの補強を同時に達成することができ、極めて簡易な構造で強度が高く、かつネック部の反りが生じにくい補強構造とすることができる。
【００１８】
次に、請求項２の発明について説明すると、この構造は、図７に図示のように、前記の板棒状体Ｒ（４０）がボディ側１１ｓの折り曲げ部４１を介して右側板棒状部５０及び左側板棒状部６０を有する平面視略Ｕ字状に形成されているものである。弦楽器のネック部は幅のあるものであるから、幅方向に２本の板棒状体部５０，６０を並置することによって、ネック部全体としてより高い強度の補強構造とすることができる。なお、前述した例のような板棒状体２０を独立して２本並列してもよいが、この発明構造のように、ボディ側１１ｓの折り曲げ部４１を介して平面視略Ｕ字状の単一部材として形成すれば、製作及び組み付け上有利となる。
【００１９】
図７において、符号４５は切り溝部で、この切り溝部４５はボディ側１１ｓの折り曲げ部４１からヘッド側１３ｓの所定部分を残して形成される。図の符号５１は右側板棒状部５０のヘッド側溝無し部分、５２は右側板棒状体部５０のボディ側溝上半部分、５３は右側板棒状体部５０のボディ側溝下半部分であり、また符号６１は左側板棒状部６０のヘッド側溝無し部分、６２は左側板棒状体部６０のボディ側溝上半部分、６３は左側板棒状体部６０のボディ側溝下半部分であり、さらに符号４２は折り曲げ部溝上半部分、４３は折り曲げ部溝下半部分である。
【００２０】
そして、これらの各部分は、前記したと同様に、ヘッド側溝無し部分５１及び６１、ボディ側溝上半部分５２及び６２ならびに４２がネック部１２と一体に接着され（図７中の網掛け表示は接着部分を表す）、ボディ側溝下半部分５３及び６３ならびに４３については、ネック部と一体に接着することなくそのボディ側端部（ここでは折り曲げ部４１）がネック部１２に固定保持される。符号７０は固定部材を兼ねるカム部材（後述）である。これらの各部の作用については、前記したところと同様である。
【００２１】
また、請求項３の発明は、図８に図示したように、上記した構造において、前記右側板棒状部５０及び左側板棒状部６０の切り溝部４５Ａの端部位置４６及び４７が左右変えて形成されている板棒状体Ｒ（４０Ａ）に係る。弦楽器に張設される弦１９は低音側が太く、高音側が細く、当然その張力はネック部の幅方向の左右において異なる。そこで、必要により、前記した板棒状体各部の左右における作用を考慮して、切り溝部４５Ａの端部位置４６及び４７が決定される。なお、図８において、図７と同一部材は共通符号を付して説明を省略する。
【００２２】
さらに、請求項４の発明は、前記した板棒状体Ｒ（２０，４０，４０Ａ）において、そのボディ側下半部分（２３，５３，６３）をボディ側１１ｓに引張する引張手段Ｐを有する弦楽器のネック部の補強構造に係る。なお、１本の板棒状体Ｒ（３０）の引張手段Ｐの例が図４ないし図６に示され、平面視略Ｕ字条の板棒状体Ｒ（４０又は４０Ａ）の引張手段Ｐの例が図９及び図１０に示される。以下、それぞれ説明する。
【００２３】
まず、１本の板棒状体Ｒ（３０）の引張手段Ｐの例について説明すると、図４に図示したように、該板棒状体Ｒ（３０）は、前記したような切り溝部３４によって、ヘッド側溝無し部分３１、ボディ側溝上半部分３２、ボディ側溝下半部分３３の各部分に区分されている。そして、前記ボディ側溝下半部３３のボディ側１１ｓ端部３３ｅにはロ字状のカム装着部３５が形成され、該カム装着部３５に固定部材を兼ねる偏心カム３６が回転自在に取り付けられている。
【００２４】
偏心カム３６は、図５の拡大図に示すように、大径部３６ａ及び小径部３６ｂを有し、矩形の取付孔３６ｃによって取付部材３７に一体に取り付けられている。なお、実施例の偏心カム３６の大径部３６ａ及び小径部３６ｂの差は１ｍｍである。そして、取付部材３７をレンチ（図示せず）等で回動して偏心カム３６を所定角度回動すると、その大径部３６ａがカム受け部材３８を押圧してカム装着部３５を介してボディ側溝下半部分３３をボディ側１１ｓに引張する。図の符号３９は偏心カム３６と取付部材３７とを緊締する固定ナットである。
【００２５】
図６はこの引張手段Ｐを備えたギター１０Ａのネック部１２の断面図であるが、前記偏心カム３６は通常はボディ側溝下半部分３３の固定部材として機能している。偏心カム３６を上記のように操作することにより、板棒状体Ｒ（３０）のボディ側溝下半部分３３をボディ側１１ｓに引張することができる。この引張手段Ｐによる引張力は、前記しかつ図３に図示したところの抗力ｃを板棒状体Ｒ（３０）に生じさせ、ギターのネック部１２に一体に接着されたヘッド側溝無し部分３１及びボディ側溝上半部分３２を介して、該ネック部１２の上方へ変形しようとする力を阻止する力として働く。そして、万一、ネック部１２に避けがたい反りが生じた場合には、それを矯正し調整することができる。
【００２６】
次に、平面視略Ｕ字条の板棒状体Ｒ（４０又は４０Ａ）の引張手段Ｐの例について説明する。図９には、図７及び図８に図示した板棒状体Ｒ（４０，４０Ａ）の引張手段Ｐの例が図示される。ここでは、板棒状体Ｒ（４０，４０Ａ）のボディ側溝下半部５３，６３が折り曲げ部溝下半部分４３によって連接されているので、該折り曲げ部溝下半部分４３内に引張手段Ｐが装置される。この例においても、前記したと同様の偏心カム７０が用いられる。偏心カム７０は、大径部７０ａ及び小径部７０ｂを有し、矩形の取付孔７０ｃによって取付部材７１に一体に取り付けられ、前記と同様に、取付部材７１の回動によって、その大径側７０ａがカム受け部材７２を押圧して折り曲げ部溝下半部分４３を介してボディ側溝下半部分５３，６３をボディ側１１ｓに引張する。図の符号７３は偏心カム７０と取付部材７１を緊締する固定ナットである。
【００２７】
図１０は図９に図示の引張手段Ｐを備えたギター１０のネック部１２の拡大断面図である。前記したと同様に、偏心カム７０は通常は固定部材として機能しており、偏心カム７０の操作により、板棒状体Ｒ（４０，４０Ａ）のボディ側溝下半部分５３，６３をボディ側１１ｓに引張することができる。そして、これによってギターのネック部１２に一体に接着されたヘッド側溝無し部分５１，６１及びボディ側溝上半部分５２，６２を介して、該ネック部１２の上方へ変形しようとする力を阻止し、そして、万一、ネック部１２に避けがたい反りが生じた場合には、それを矯正し調整することができる。
【００２８】
【発明の効果】
以上図示し説明したように、この発明における弦楽器のネック部の補強構造によれば、剛性のある板棒状体を切り溝部によってヘッド側溝無し部分、ボディ側溝上半部分、ボディ側溝下半部分に区分し、前記ヘッド側溝無し部分とボディ側溝上半部分をネック部と一体に接着し、前記ボディ側溝下半部分については、ネック部と一体に接着することなくネック部に固定保持するという極めて簡易な構造によって、剛性のある材料という点からの補強と同時に、力学的な抗力という点からの補強を同時に達成することができるので、その結果として、強度が高く、かつネック部の反りが生じにくい補強構造を実現することができる。
【００２９】
また、請求項２の発明にあっては、単一の板棒状体をボディ側の折り曲げ部を介して左右の板棒状部を有する平面視略Ｕ字状に形成することによって、ネック部の幅全体の補強を図ることができ、また折り曲げ部を有する単一部材とすることによって、製作及び組み付け上有利となる。
【００３０】
さらに、請求項３の発明にあっては、請求項２の発明の板棒状体の左右における切り溝部の端部位置を変えて形成することによって、左右の板棒状体部の機能ないし作用を変化させることが可能となる。
【００３１】
さらにまた、請求項４の発明にあっては、ネック部に固定保持される板棒状体のボディ側下半部分をボディ側に引張する引張手段を設けることによって、ネック部に避けがたい反り変形が生じた場合にも、これを矯正し調整することが可能となる。
【図面の簡単な説明】
【図１】この発明の一実施例を示す電気ギターの指板部分を一部省略した全体斜視図である。
【図２】この発明に用いられる板棒状体の一例を示す全体斜視図である。
【図３】板棒状体の作用を模式的に表す部分断面図である。
【図４】引張手段を設けた板棒状体の一例を示す全体斜視図である。
【図５】図４に示す引張手段の一部拡大図である。
【図６】図４に示す板棒状体を取り付けた電気ギターのネック部の断面図である。
【図７】板棒状体の他の例を示す全体斜視図である。
【図８】さらに板棒状体の別の例を示す全体斜視図である。
【図９】固定引張手段の一部拡大図である。
【図１０】図７または図８に示す板棒状体を取り付けた電気ギターのネック部の拡大断面図である。
【符号の説明】
１０  電気ギター
１１  ボディ部
１２  ネック部
１３  ヘッド部
１５  指板
Ｒ，２０，３０，４０，４０Ａ  板棒状体
５０，６０    板棒状体部
２１，３１，５１，６１  ヘッド側溝無し部分
２２，３２，５２，６２  ボディ側溝上半部分
２３，３３，５３，６３  ボディ側溝下半部分
２５，３４，４５，４５Ａ  切り溝部
２７  固定ねじ
３６，７０  偏心カム
３７，７１  取付部材
Ｐ  引張手段
【図１】
0003712638.tif 000002
【図２】
0003712638.tif 000003
【図３】
0003712638.tif 000004
【図４】
0003712638.tif 000005
【図５】
0003712638.tif 000006
【図６】
0003712638.tif 000007
【図７】
0003712638.tif 000008
【図８】
0003712638.tif 000009
【図９】
0003712638.tif 000010
【図１０】
0003712638.tif 000011